(57)【要約】【課題】  第１、第２の孔部の存在が目立ちにくくなり、見栄えの良好なヘッドアップディスプレイ装置を提供する。【解決手段】  表示光Ｌを発する発光型表示器２０と、表示光Ｌを反射させる凹面鏡３１と、光センサ４１が実装された回路基板４２と、これらを収容するハウジング５０とを備え、ハウジング５０には、外光が発光型表示器２０に入射することを防ぐ光遮蔽部５４が形成され、光センサ４１はセンサホルダ４３を通じて回路基板４２に実装されているとともに、センサホルダ４３は光センサ４１を包囲するための第１の孔部４４を有する包囲部４５を有し、第１の孔部４４に対応する光遮蔽部５４箇所には第２の孔部５４ａが設けられ、外光を遮断しない孔隠し部材５５が第２の孔部５４ａを隠すように配置されるものである。【選択図】図３
2018083521.tif 000002
【特許請求の範囲】
【請求項１】
表示光を発する発光型表示器と、
前記表示光を反射させる反射部材と、
外光の照度を検出する外光検出素子が配設された回路基板と、
前記反射部材と前記回路基板とを少なくとも収容するハウジングとを備え、
前記ハウジングには、前記外光が前記ハウジングに形成された透光部を通じて前記発光型表示器に入射することを防ぐ光遮蔽部が形成され、
前記外光検出素子はホルダを通じて前記回路基板に配設されているとともに、前記ホルダは前記外光検出素子を包囲するための第１の孔部を有する包囲部を有し、
前記第１の孔部に対応する前記光遮蔽部箇所には前記外光を前記第１の孔部へと導くための第２の孔部が設けられ、
前記反射部材によって反射された前記表示光を前記透光部を通じて投影部材に投影し、観察者に対して虚像表示を行うヘッドアップディスプレイ装置において、
前記外光を遮断しない孔隠し部材が前記第１の孔部と前記第２の孔部とのうち少なくとも一方を隠すように配置されることを特徴とするヘッドアップディスプレイ装置。
【請求項２】
前記孔隠し部材は、模様部を有する透光性シートであることを特徴とする請求項１記載のヘッドアップディスプレイ装置。
【請求項３】
前記孔隠し部材は、複数の孔が形成された網状部材であることを特徴とする請求項１記載のヘッドアップディスプレイ装置。
【請求項４】
前記孔隠し部材は、暗色の半透過性シートであることを特徴とする請求項１記載のヘッドアップディスプレイ装置。
【発明の詳細な説明】
【技術分野】
【０００１】
本発明は、発光型表示器が発した表示光を車両のフロントガラス等の投影部材に投影し、観察者に対し虚像表示を行うヘッドアップディスプレイ装置に関するものである。
【背景技術】
【０００２】
従来より、この種のヘッドアップディスプレイ装置にあっては、例えば下記特許文献１に記載されているものが知られている。この特許文献１に記載のヘッドアップディスプレイ装置は、表示光を発する発光型表示器と、表示光を反射させる反射部材と、外光の照度を検出して照度データを出力する外光検出素子が実装（配設）された回路基板と、発光型表示器と反射部材と回路基板とを収容するハウジングと、照度データに基づいて発光型表示器の発光輝度を調整する制御手段とを備え、ハウジングには、太陽光等の外光がハウジングに形成された透明な透光性カバー（透光部）を通じて発光型表示器に入射することを防ぐ光遮蔽部が形成され、反射部材によって反射された表示光を透光部を通じて車両のフロントガラス等の投影部材に投影し、観察者に対して虚像表示を行うものである。
【０００３】
また、この場合、外光検出素子はホルダを通じて回路基板に実装（配設）されているとともに、当該ホルダは外光検出素子を包囲するための第１の孔部を有する包囲部を有し、当該第１の孔部に対応（連通）する光遮蔽部箇所には外光を第１の孔部へと導くための第２の孔部が設けられている構成となっている。
【先行技術文献】
【特許文献】
【０００４】
【特許文献１】特開２００４−３３８５７８号公報
【発明の概要】
【発明が解決しようとする課題】
【０００５】
上述の特許文献１に記載のヘッドアップディスプレイ装置の場合、外光検出素子はホルダに備えられる包囲部の第１の孔部内に配置され、一方、ハウジングの光遮蔽部にはホルダの第１の孔部に連通するように貫通孔からなる第２の孔部が形成された構成となっており、外光は、透光性カバー、透光性カバーの近くにある光遮蔽部の第２の孔部、包囲部の第１の孔部を通過して、当該第１の孔部内に配置されている外光検出素子によって検出される。
【０００６】
ところで、このように包囲部の第１の孔部と光遮蔽部の第２の孔部とが連通するように設けられ、さらに光遮蔽部の近くに透明な透光性カバーが位置しているような場合、透光性カバー越しに光遮蔽部を見た際に光遮蔽部に設けられた第２の孔部やホルダに設けられた第１の孔部の存在が目立ち易くなり、見栄えがよくないという問題点がある。
そこで本発明は、前述の課題に対して対処するため、第１、第２の孔部の存在が目立ちにくくなり、見栄えの良好なヘッドアップディスプレイ装置の提供を目的とするものである。
【課題を解決するための手段】
【０００７】
本発明は、表示光を発する発光型表示器と、前記表示光を反射させる反射部材と、外光の照度を検出する外光検出素子が配設された回路基板と、前記反射部材と前記回路基板とを少なくとも収容するハウジングとを備え、前記ハウジングには、前記外光が前記ハウジングに形成された透光部を通じて前記発光型表示器に入射することを防ぐ光遮蔽部が形成され、前記外光検出素子はホルダを通じて前記回路基板に配設されているとともに、前記ホルダは前記外光検出素子を包囲するための第１の孔部を有する包囲部を有し、前記第１の孔部に対応する前記光遮蔽部箇所には前記外光を前記第１の孔部へと導くための第２の孔部が設けられ、前記反射部材によって反射された前記表示光を前記透光部を通じて投影部材に投影し、観察者に対して虚像表示を行うヘッドアップディスプレイ装置において、前記外光を遮断しない孔隠し部材が前記第１の孔部と前記第２の孔部とのうち少なくとも一方を隠すように配置されることを特徴とする。
【０００８】
また本発明は、前記孔隠し部材は、模様部を有する透光性シートであることを特徴とする。
【０００９】
また本発明は、前記孔隠し部材は、複数の孔が形成された網状部材であることを特徴とする。
【００１０】
また本発明は、前記孔隠し部材は、暗色の半透過性シートであることを特徴とする。
【発明の効果】
【００１１】
本発明によれば、所期の目的を達成でき、第１、第２の孔部の存在が目立ちにくくなり、見栄えの良好なヘッドアップディスプレイ装置を提供できる。
【図面の簡単な説明】
【００１２】
【図１】本発明の第１実施形態によるヘッドアップディスプレイ装置の概略図。
【図２】同実施形態による表示装置の断面図。
【図３】同実施形態によるハウジングの一部と外光センサユニットとを示す要部断面図。
【図４】同実施形態による外光センサユニットの斜視図。
【図５】同実施形態によるハウジングのボス部に外光センサユニットがネジ固定された状態を示す概略図。
【図６】図３中、矢印Ｂ方向から見たときの光遮蔽部と孔隠し部材とを示す図。
【図７】同実施形態による表示装置の電気的構成を示すブロック図。
【図８】本発明の第２実施形態による表示装置の要部断面図。
【図９】本発明の第３実施形態による表示装置の要部断面図。
【図１０】本発明の第４実施形態による表示装置の要部断面図。
【図１１】本発明の第５実施形態による表示装置の要部断面図。
【発明を実施するための形態】
【００１３】
（第１実施形態）以下、図１〜図７に基づいて、本発明の実施形態を車両用のヘッドアップディスプレイ装置に適用した場合を例に挙げて説明する。
【００１４】
ヘッドアップディスプレイ装置は、図１に示すように車両１０のインストルメントパネル１１内部に配設された表示ユニットである表示装置１２が投射する表示光Ｌを投影部材である車両１０のフロントガラス１３で車両１０の運転者（観察者）１４の方向に反射させ、運転者１４に対して虚像Ｖの表示を行うものである。換言すれば、ヘッドアップディスプレイ装置は、表示装置１２の後述する発光型表示器から発せられる表示光Ｌをフロントガラス１３（前記投影部材）に照射（投射）し、この照射によって得られた虚像（表示像）Ｖを運転者１４に視認させるものである。これにより運転者１４は、運転席の正面前方に表示される虚像Ｖを風景と重畳させて観察することができる。
【００１５】
表示装置１２は、図２に示すように表示光Ｌを発する発光型表示器２０と、反射器３０と、外光センサユニット４０と、ハウジング５０とから主に構成されている。
【００１６】
発光型表示器２０は、例えば液晶表示素子２１と、レンズ２２と、光源２３と、配線基板２４と、筐体２５とから主に構成されている。
【００１７】
液晶表示素子２１は、例えばＴＦＴ型の液晶パネルの前後両面に偏光板を貼着したものであり、車両の速度等を表示する。レンズ２２は、アクリル等の透光性合成樹脂によって形成されており、液晶表示素子２１と光源２３の間に配置されている。光源２３は、適宜色で発光するチップ型発光ダイオードからなり、レンズ２２を介して、液晶表示素子２１を照明する。つまり、光源２３が発光すると、液晶表示素子２１からは表示光Ｌが発せられる。
【００１８】
また配線基板２４は、所定の配線パターンが施された硬質回路基板からなり、マイクロコンピュータである後述する制御手段等が前記配線パターンに導通接続されている。筐体２５は、液晶表示素子２１とレンズ２２と光源２３と配線基板２４とを収容するものであり、液晶表示素子２１の表示面に対応する位置には、表示光Ｌを通過させるための略矩形状の開口部（図示せず）が開口形成されている。
【００１９】
反射器３０は、液晶表示素子２１（発光型表示器２０）から発せられる表示光Ｌを反射させる凹面鏡（反射部材）３１と、この凹面鏡３１を保持するミラーホルダ３２とを備えている。
【００２０】
凹面鏡３１は、凹面を有するポリカーボネートからなる樹脂基材に反射膜３１ａを蒸着形成してなるものである。かかる凹面鏡３１は、その反射膜３１ａがハウジング５０の後述する透光性カバーに対向し、前記透光性カバーから臨める位置に傾斜状態にて配設される。
【００２１】
また凹面鏡３１は、液晶表示素子２１からの表示光Ｌを拡大しつつ、前記透光性カバー（車両１０のフロントガラス１３）側へ反射（投射）させるものである。このことは、凹面鏡３１が、液晶表示素子２１からの表示光Ｌを拡大し、この拡大された表示光Ｌを前記透光性カバーを通じてフロントガラス１３に投射することを意味している。なお、凹面鏡３１は、ミラーホルダ３２に両面粘着テープにより接着されている。ミラーホルダ３２は、合成樹脂（例えばＡＢＳ樹脂）からなるものであり、ハウジング５０に固定されている。
【００２２】
外光センサユニット４０は、図３、図４に示すように外光検出素子としての光センサ４１と、この光センサ４１が実装（配設）された回路基板４２と、ホルダとしてのセンサホルダ４３とから構成され、この場合、光センサ４１はセンサホルダ４３を通じて（介して）回路基板４２上に実装（配設）されている。
【００２３】
光センサ４１は、例えばフォトダイオードを適用することができ、外光の照度を検出して照度データを前記制御手段に出力するものである。なお、光センサ４１の光軸は車両前方側（前記透光性カバー側）を向いており、車両前方の照度を検出する。
【００２４】
回路基板４２は、所定の回路パターンが施された硬質回路基板からなり、光センサ４１が前記回路パターンに導通接続されている。なお、詳細図示は省略するが、回路基板４２と配線基板２４とは、ハーネス等の配線部材によって電気的に接続されている。
【００２５】
センサホルダ４３は、例えば黒色の合成樹脂材料によって形成されており、光センサ４１を包囲するための第１の孔部４４を有する略筒状の包囲部４５と、発光型表示器２０側に位置する回路基板４２の一側面Ｐ１を保持する保持部４６とを有している。第１の孔部４４は、例えば略楕円形状の貫通孔として構成されている。
【００２６】
なお、４７は、センサホルダ４３に一体形成された片持梁形状からなる一対の弾性部であり、一対の弾性部４７の自由端部（先端部）には、一側面Ｐ１と相対する回路基板４２の他の一側面Ｐ２よりも一段低い位置に位置する段部Ｐ３に係合する爪部からなる係合部４８が各々形成されている。また、４９は、ネジＳのネジ部を通すための切り欠き部であり、この切り欠き部４９は、ハウジング５０に備えられる後述するボス部に対応するようにセンサホルダ４３の底部に形成されている（図５参照）。
【００２７】
ハウジング５０は、例えば黒色の合成樹脂材料にて形成されてなり、ともに断面略凹部形状からなる上側ケース体５１と下側ケース体５２とを備え、上側ケース体５１と下側ケース体５２とで形成される内部空間である空間部５３において、発光型表示器２０や（凹面鏡３１を含む）反射器３０、（回路基板４２を含む）外光センサユニット４０等を収容している。
【００２８】
上側ケース体５１には、凹面鏡３１の配設位置の上部（車両１０のフロントガラス１３側）が開口する開口窓部５１ａが形成されており、凹面鏡３１によって反射された表示光Ｌは、開口窓部５１ａを通過することになる。
【００２９】
また上側ケース体５１には、透光部である透光性カバー５１ｂが開口窓部５１ａを塞ぐように配設されている。この透明な透光性カバー５１ｂは、透光性の合成樹脂材料（例えばアクリル樹脂）からなり、湾曲形状に形成され、凹面鏡３１で反射された表示光Ｌが透過（通過）する光透過性部材としての機能を有している。そして、凹面鏡３１によって反射された表示光Ｌは透光性カバー５１ｂを通じてフロントガラス１３に投影され、これにより運転者１４に対し虚像Ｖの表示が行われることになる。
【００３０】
なお、５４は、太陽光等の外光がハウジング５０に形成された透光性カバー５１ｂを通じて発光型表示器２０に入射することを防ぐための黒色の光遮蔽部である。つまり、光遮蔽部５４は、外光が発光型表示器２０に入射し虚像Ｖが見えにくくなる現象（ウォッシュアウト）を防止するための遮光壁からなり、上側ケース体５１の前面壁部５１ｃから斜めに垂下するように形成され、外光センサユニット４０と透光性カバー５１ｂとの間に位置している。
【００３１】
そして、センサホルダ４３に備えられる包囲部４５の第１の孔部４４に対応する光遮蔽部５４箇所には、外光を第１の孔部４４へと導くための略楕円形状の貫通孔からなる第２の孔部５４ａが開口形成されている。
【００３２】
そして、透光性カバー５１ｂ側に位置する光遮蔽部５４の一方の面Ｆ１には、外光を遮断しない外光非遮断機能を有する孔隠し部材５５が第２の孔部５４ａを完全に隠す（塞ぐ）ようにが配置（固定）される。
【００３３】
孔隠し部材５５は、透光性シートであり、樹脂製の透光性基板５５ａと、この透光性基板５５ａに形成された格子状の模様部５５ｂとを有している。孔隠し部材５５の一方の面Ｆ１への固定は、両面テープによる接着固定、両面テープ以外の他の接着固定、あるいは溶着固定など、適宜の固定手段を用いればよい。
【００３４】
透光性基板５５ａは、例えば透明な薄板状の樹脂シートを適用することができる。
【００３５】
模様部５５ｂは、例えば透光性基板５５ａにおける透光性カバー５１ｂ側を向く上面Ｙ１に印刷形成された印刷層からなる。ここでは、模様部５５ｂとして、図６に示すような黒色の格子模様が印刷形成されているものとする。なお、模様部５５ｂは、上面Ｙ１ではなく、透光性基板５５ａにおけるセンサホルダ４３側を向く下面Ｙ２に形成してもよく、また模様部５５ｂの色調は黒色以外に茶色や灰色、青色等の濃い色で形成してもよい。
【００３６】
また、５６は、センサホルダ４３に備えられる切り欠き部４９側に向けて突出形成された略円筒形状からなるボス部であり、このボス部５６は、光遮蔽部５４（上側ケース体５１）に設けられており、ネジＳのネジ部を螺合させるためのネジ螺合部（図示せず）を有している。
【００３７】
そして、上側ケース体５１（ボス部５６）とセンサホルダ４３とをネジＳを用いて固定する場合には、詳細図示は省略するが、例えばまず光遮蔽部５４の第２の孔部５４ａが包囲部４５の第１の孔部４４に対応するように、且つ、ボス部５６が切り欠き部４９に対応するように、上側ケース体５１とセンサホルダ４３とを位置合わせし、その後、ネジＳのネジ部を切り欠き部４９に貫通させ、この切り欠き部４９を貫通した前記ネジ部の所定箇所が前記ネジ螺合部に螺合されることで、上側ケース体５１（ボス部５６）とセンサホルダ４３との固定作業が完了する。
【００３８】
また、上側ケース体５１（ハウジング５０）には、回路基板４２を位置規制するための突出片からなる規制部５７が設けられている。この規制部５７は、上側ケース体５１の前面壁部５１ｃから垂下するように形成されており、上述のように上側ケース体５１（ハウジング５０）とセンサホルダ４３とがネジＳで固定されることによって、一側面Ｐ１と相対する方向に位置している回路基板４２の他の一側面Ｐ２が上側ケース体５１に一体形成された規制部５７と当接（接触）する構成となっている。
【００３９】
そして、この一側面Ｐ２と規制部５７とが接触した状態において、センサホルダ４３に設けられる第１の孔部４４の中心軸Ｃ１が、光遮蔽部５４に備えられる第２の孔部５４ａの中心軸Ｃ２と略一致する。
【００４０】
これにより光センサ４１は、透光性カバー５１ｂを透過し、且つ、模様部５５ｂが形成されていない透光性基板５５ａ箇所と光遮蔽部５４の第２の孔部５４ａと包囲部４５の第１の孔部４４とを通過した外光を検出し、照度データを前記制御手段に出力する。なお、孔隠し部材５５に設けられる黒色の模様部５５ｂは、光センサ４１を用いた外光検出機能を著しく損ねない状態で形成されていればよい。
【００４１】
次に、図７に示すブロック図に基づいて、表示装置１２の電気的構成について説明する。６１は速度センサであり、この速度センサ６１はマイクロコンピュータである制御手段６２に速度データを出力する。制御手段６２は、ＣＰＵ６３、ＲＡＭ６４、ＲＯＭ６５等を有する。制御手段６２は、配線基板２４に搭載されており、液晶駆動回路６６を介して液晶表示素子２１を駆動し、また光源駆動回路６７を介して光源２３を駆動する。制御手段６２は、光センサ４１が出力した照度データに基づいて、ＲＯＭ６５に記憶されたプログラムに従って、所定の演算処理を行い、光源２３（発光型表示器２０）の発光輝度を調整するように構成されている。
【００４２】
以上のように、本実施形態では、センサホルダ４３は外光検出素子４１を包囲するための第１の孔部４４を有する包囲部４５を有し、第１の孔部４４に対応する光遮蔽部５４箇所には外光を第１の孔部４４へと導くための第２の孔部５４ａが設けられ、外光を遮断しない孔隠し部材５５が第２の孔部５４ａを隠すように配置されるものである。
【００４３】
従って、光遮蔽部５４の近くに透明な透光性カバー５１ｂが位置している状況下で、透光性カバー５１ｂ越しに光遮蔽部５４を見た際に、光遮蔽部５４において第２の孔部５４ａの形成箇所とそれ以外の箇所との境目が不鮮明となるので、光遮蔽部５４に設けられた第２の孔部５４ａの存在が目立ちにくくなり、見栄えの良好なヘッドアップディスプレイ装置を提供することができる。なお、この場合、第１の孔部４４の形状は第２の孔部５４ａの形状と同等の形状であるため、第２の孔部５４ａの存在だけではなく、第１の孔部４４の存在も目立ちにくくなり、見栄えの良好なヘッドアップディスプレイ装置を提供することができる。
【００４４】
（第２実施形態）次に、本発明の第２実施形態を図８に基づいて説明するが、前述の第１実施形態と同一もしくは相当個所には同一の符号を用いてその詳細な説明は省略する。この第２実施形態では、前記第１実施形態にて採用した孔隠し部材５５の周縁部を光遮蔽部５４と低反射シート５８との間に挟み込む構成としている。
【００４５】
低反射シート５８は、発泡ウレタンが上面に塗布された黒色のシートからなり、光遮蔽部５４の一方の面Ｆ１に貼り付けられ、太陽光（外光）の反射を抑制することを目的として設けられたものである。この低反射シート５８は、耐熱性に優れ、揮発ガスの発生が少ないものであることが望ましい。また、低反射シート５８には、第２の孔部５４ａに対応する位置に略楕円形状の貫通孔からなる貫通部５８ａが形成されている。
【００４６】
この第２実施形態の場合であっても、前記第１実施形態と同様に第２の孔部５４ａを隠すように孔隠し部材５５が配置されることから、透光性カバー５１ｂ越しに低反射シート５８を見た際に、第２の孔部５４ａの存在が目立ちにくくなり、前記第１実施形態と同様の作用効果を得ることができる。
【００４７】
（第３実施形態）次に、本発明の第３実施形態を図９に基づいて説明するが、前述の第１実施形態と同一もしくは相当個所には同一の符号を用いてその詳細な説明は省略する。この第３実施形態では、前記第１実施形態にて適用した孔隠し部材５５が配置されていた位置に孔隠し部材としての網状部材７０を配置した構成としている。
【００４８】
網状部材７０は、例えば細い金属線が上下、左右に並べたれた格子状の金属網を適用することができ、金属線どうしの間には複数の孔７１が形成されている。この場合、光センサ４１は、透光性カバー５１ｂを透過し、且つ、複数の孔７１と第２の孔部５４ａと第１の孔部４４とを通過した外光を検出可能となる。なお、網状部材７０は、金属網に代えて黒色（濃い色）の樹脂製の網を用いることも可能である。
【００４９】
この第３実施形態の場合であっても、前記第１実施形態と同様に第２の孔部５４ａを隠すように孔隠し部材である網状部材７０が配置されることから、透光性カバー５１ｂ越しに光遮蔽部５４を見た際に、第２の孔部５４ａの存在が目立ちにくくなり、前記第１実施形態と同様の作用効果を得ることができる。
【００５０】
（第４実施形態）次に、本発明の第４実施形態を図１０に基づいて説明するが、前述の第１実施形態と同一もしくは相当個所には同一の符号を用いてその詳細な説明は省略する。この第４実施形態では、前記第１実施形態にて採用した孔隠し部材５５が配置されていた位置に孔隠し部材としての暗色の半透過性シート８０を配置した構成としている。
【００５１】
半透過性シート８０は、暗色系のスモーク色調を有する半透明の合成樹脂板（もしくはガラス板）を適用することができ、外光を透過する機能を有する。この場合、光センサ４１は、透光性カバー５１ｂを透過し、且つ、半透過性シート８０と第２の孔部５４ａと第１の孔部４４とを通過した外光を検出可能となる。
【００５２】
この第４実施形態の場合であっても、前記第１実施形態と同様に第２の孔部５４ａを隠すように孔隠し部材である半透過性シート８０が配置されることから、透光性カバー５１ｂ越しに光遮蔽部５４を見た際に、第２の孔部５４ａの存在が目立ちにくくなり、前記第１実施形態と同様の作用効果を得ることができる。
【００５３】
（第５実施形態）次に、本発明の第５実施形態を図１１に基づいて説明するが、前述の第１実施形態と同一もしくは相当個所には同一の符号を用いてその詳細な説明は省略する。
【００５４】
この第５実施形態では、前記第１実施形態にて採用した孔隠し部材５５を光遮蔽部５４の一方の面Ｆ１ではなく包囲部４５の上面部Ｆ２に配置（固定）し、さらに包囲部４５と当該上面部Ｆ２を覆うように設けられるカバー部材９０とを利用して上面部Ｆ２に配置された孔隠し部材５５の周縁部を挟み込む構成としている。この場合、孔隠し部材５５は第１の孔部４４を完全に隠すように上面部Ｆ２に両面テープ等を用いて固定される。
【００５５】
カバー部材９０は、例えば合成樹脂材料によって形成され、孔隠し部材５５の周縁部を覆う覆い部９１と、包囲部４５の周壁に密着した状態で設けられる側壁部９２とを有し、覆い部９１には各孔部４４、５４ａに対応する位置に貫通孔部９１ａが設けられている。例えば、このカバー部材９０は、フック固定やネジ固定等の固定手段を用いて包囲部４５に固定される。
【００５６】
そして、この場合、光センサ４１は、透光性カバー５１ｂを透過し、且つ、第２の孔部５４ａと貫通孔部９１ａと模様部５５ｂが形成されていない透光性基板５５ａ箇所と第１の孔部４４とを通過した外光を検出可能となる。
【００５７】
この第５実施形態によれば、第１の孔部４４を隠すように孔隠し部材５５が配置されることから、透光性カバー５１ｂ越しに光遮蔽部５４を見た際に、第１の孔部４４の存在が目立ちにくくなる。ここで、光遮蔽部５４の色が黒色であり、模様部５５ｂの色が光遮蔽部５４の色と同系色の黒色であるような場合、透光性カバー５１ｂ越しに光遮蔽部５４を見ると、第２の孔部５４ａの部分は模様部５５ｂが見えるので、第１の孔部４４と第２の孔部５４ａの存在が目立ちにくくなり、見栄えの良好なヘッドアップディスプレイ装置を提供することができる。
【００５８】
また、この第５実施形態では、包囲部４５とカバー部材９０との間に孔隠し部材５５を挟み込む構成としたが、必要に応じてカバー部材９０は廃止してもよい。なお、第５実施形態の変形例としては、孔隠し部材５５に代えて上面部Ｆ２に第１の孔部４４を隠すように網状部材７０または半透過性シート８０を配置する構成、一方の面Ｆ１に低反射シート５８を貼り付ける構成、さらには孔隠し部材を２つ用意し、一方の孔隠し部材を第１の孔部４４を隠すように上面部Ｆ２に配置するとともに他方の孔隠し部材を第２の孔部５４ａを隠すように一方の面Ｆ１に配置する構成などが考えられる。
【００５９】
なお、本発明は、上述の実施形態及び図面によって限定されるものではない。本発明の要旨を変更しない範囲で、適宜、実施形態及び図面に変更（構成要素の削除も含む）を加えることが可能である。
【００６０】
例えば上述した第２実施形態の構成と第３実施形態の構成とを組み合わせてもよい。つまり、このことは網状部材７０の周縁部を光遮蔽部５４と低反射シート５８との間に挟み込むことを意味している。同様に、上述した第２実施形態の構成と第４実施形態の構成とを組み合わせてもよい。つまり、このことは半透過性シート８０の周縁部を光遮蔽部５４と低反射シート５８との間に挟み込むことを意味している。
【００６１】
また、上述した第１〜第４実施形態では、孔隠し部材が第２の孔部５４ａを隠すように一方の面Ｆ１に配置されているが、当該孔隠し部材を一方の面Ｆ１とは反対側に位置する光遮蔽部５４の他方の面Ｆ３（図３、図９、図１０参照）に配置してもよい。ここで、図３に示す格子模様付き透光性シートである孔隠し部材５５を他方の面Ｆ３に配置する場合、他方の面Ｆ３と接触する部分は透光性基板５５ａでもよいし、模様部５５ｂでもよい。
【００６２】
また、前記各実施形態では、発光型表示器２０から発せられる表示光Ｌがフロントガラス１３に投射される例について説明したが、例えばフロントガラス１３に表示光Ｌを良好に運転者１４方向に反射させるコンバイナフィルムを設けてもよいし、あるいはフロントガラス１３とは別の専用の反射体に表示光Ｌを投射する構成としてもよい。
【００６３】
なお、前記各実施形態では、ハウジング５０は発光型表示器２０や（凹面鏡３１を含む）反射器３０、（回路基板４２を含む）外光センサユニット４０等を収容（収納）しているが、例えば反射器３０と外光センサユニット４０とがハウジング５０に収容され、発光型表示器２０はハウジング５０とは別部材である表示器用筐体（図示せず）に収納されていてもよい。
【符号の説明】
【００６４】
１２    表示装置
１３    フロントガラス（投影部材）
１４    運転者（観察者）
２０    発光型表示器
３０    反射器
３１    凹面鏡（反射部材）
４０    外光センサユニット
４１    光センサ（外光検出素子）
４２    回路基板
４３    センサホルダ（ホルダ）
４４    第１の孔部
４５    包囲部
５０    ハウジング
５１    上側ケース体
５１ｂ  透光性カバー（透光部）
５４    光遮蔽部
５４ａ  第２の孔部
５５    孔隠し部材
５５ａ  透光性基板
５５ｂ  模様部
５８    低反射シート
５８ａ  貫通孔
７０    網状部材（孔隠し部材）
７１    孔
８０    半透過性シート（孔隠し部材）
９０    カバー部材
Ｌ    表示光
【図１】
2018083521.tif 000003
【図２】
2018083521.tif 000004
【図３】
2018083521.tif 000005
【図４】
2018083521.tif 000006
【図５】
2018083521.tif 000007
【図６】
2018083521.tif 000008
【図７】
2018083521.tif 000009
【図８】
2018083521.tif 000010
【図９】
2018083521.tif 000011
【図１０】
2018083521.tif 000012
【図１１】
2018083521.tif 000013